(57)【特許請求の範囲】
【請求項１】
四輪駆動と二輪駆動との切り替えが可能な四輪駆動車の主駆動源によって回転する筒状の第１の回転部材と、
前記第１の回転部材内に少なくとも一部が収容され、かつ前記第１の回転部材にその回転軸線上で摩擦式のクラッチを介して断続可能に連結された第２の回転部材と、
前記第２の回転部材と前記第１の回転部材との間に介在する収容空間に連通して潤滑油を貯溜する収容室を有し、前記収容室内に前記第１の回転部材及び前記第２の回転部材を収容する装置ケースと、
前記装置ケース内に前記回転軸線に沿って摺動可能に配置され、前記収容室を密閉するための密閉部材とを備え、
前記密閉部材は、前記主駆動源と異なる副駆動源から移動力を受けて前記装置ケースとの間で摺動し、前記収容室の内容積を可変する摺動部材によって形成され、
前記装置ケースは、その内部に前記クラッチのクラッチプレート間隔を短縮するためのカム推力を発生させるカム機構が配置され、
前記カム機構は、その作動力となる回転力を前記副駆動源から受けて回転する入力用のカム部材、及び前記入力用のカム部材との間で前記カム推力を発生させて出力する出力用のカム部材を有し、前記出力用のカム部材が前記密閉部材を取り付ける取付部材によって形成されている
駆動力伝達装置。
【請求項２】
前記装置ケースは、前記密閉部材の摺動領域を内部に形成するための円筒部を有し、前記円筒部の内周面と前記密閉部材の外周部との間にシール部材が介在して配置されている請求項１に記載の駆動力伝達装置。
【請求項３】
前記カム機構は、前記入力用のカム部材と前記出力用のカム部材との間に互いに嵌合可能な凹凸面を有し、前記入力用のカム部材の凹凸面及び前記出力用のカム部材の凹凸面が前記入力用のカム部材の回転によって前記出力用のカム部材を前記クラッチ側に移動させるためのカム面で形成されている請求項１又は２に記載の駆動力伝達装置。
【請求項４】
前記カム機構は、前記入力用のカム部材が前記副駆動源としての回転モータに歯車伝達機構を介して連結されている請求項１乃至３の何れか１項に記載の駆動力伝達装置。
【発明の詳細な説明】
【技術分野】
【０００１】
本発明は、例えば自動車における入力軸からの駆動力を出力軸に伝達する駆動力伝達装置に関する。
【背景技術】
【０００２】
従来の駆動力伝達装置として、例えば四輪駆動車に搭載され、一対の回転部材をクラッチによってトルク伝達可能に連結するようにしたものがある（例えば特許文献１参照）。
【０００３】
この駆動力伝達装置は、入力軸と共に回転する第１の回転部材と、この第１の回転部材の軸線上で回転可能な第２の回転部材と、この第２の回転部材と第１の回転部材とをトルク伝達可能に連結する摩擦式の第１のクラッチと、この第１のクラッチに第１の回転部材及び第２の回転部材の軸線に沿って並列する電磁クラッチと、この電磁クラッチの電磁力を受けて駆動される摩擦式の第２のクラッチと、この第２のクラッチのクラッチ動作によって第１の回転部材からの回転力を第１のクラッチ側への押付力に変換するカム機構とから構成されている。
【０００４】
第１の回転部材は、一方に開口する有底円筒状のフロントハウジング、及びこのハウジングの開口部に装着された円環状のリヤハウジングからなり、入力軸に連結されている。そして、第１の回転部材は、車両用のエンジンなど駆動源の駆動力を入力軸から受けて回転するように構成されている。
【０００５】
第２の回転部材は、第１の回転部材に回転軸線上で相対回転可能に配置され、かつ出力軸に連結されている。
【０００６】
第１のクラッチは、インナクラッチプレート及びアウタクラッチプレートを有し、第１の回転部材と第２の回転部材との間に配置されている。そして、第１のクラッチは、メインクラッチとして機能し、インナクラッチプレートとアウタクラッチプレートとが摩擦係合して第１の回転部材と第２の回転部材とをトルク伝達可能に連結するように構成されている。
【０００７】
電磁クラッチは、第１の回転部材及び第２の回転部材の軸線上に配置されている。そして、電磁クラッチは、電磁力を発生させて第２のクラッチを駆動するように構成されている。
【０００８】
第２のクラッチは、インナクラッチプレート及びアウタクラッチプレートを有し、メインクラッチの電磁クラッチ側に配置されている。そして、第２のクラッチは、電磁クラッチの電磁力を受けて駆動されるパイロットクラッチとして機能し、第１の回転部材の回転力をカム機構に付与するように構成されている。
【０００９】
カム機構は、第１の回転部材からの回転力によるカム作用によって第１のクラッチに押付力を付与する押付部を有し、第１の回転部材と第２の回転部材との間に配置されている。
【００１０】
以上の構成により、エンジン側からの駆動力が入力軸を介して第１の回転部材に入力されると、第１の回転部材がその軸線回りに回転する。ここで、電磁クラッチに通電すると、電磁クラッチの電磁力によって第２のクラッチが駆動される。
【００１１】
次に、第２のクラッチの駆動時に第１の回転部材からの回転力をカム機構が受けると、この回転力がカム機構によって押付力に変換され、この押付力が第１のクラッチに付与される。
【００１２】
そして、第１のクラッチのインナクラッチプレートとアウタクラッチプレートとが互いに接近して摩擦係合し、この摩擦係合によって第１の回転部材と第２の回転部材とがトルク伝達可能に連結される。これにより、エンジン側の駆動力が入力軸から駆動力伝達装置を介して出力軸に伝達される。
【先行技術文献】
【特許文献】
【００１３】
【特許文献１】特開２００３−１４００１号公報
【発明の概要】
【発明が解決しようとする課題】
【００１４】
ところで、特許文献１に示す駆動力伝達装置によると、四輪駆動車の二輪駆動による走行時に潤滑油の粘性に基づいて発生する所謂引き摺りトルクによる悪影響を低減するには、ハウジング内の潤滑油を少量にする（油面位置を低くする）ことが望ましい。
【００１５】
一方、四輪駆動車の四輪駆動による走行時にハウジング内の潤滑油が過度に少量であると、第１のクラッチのインナクラッチプレートとアウタクラッチプレートとの摩擦係合による各クラッチプレートの発熱によって各クラッチプレートが損傷し、第１のクラッチの耐久性が低下する虞がある。
【００１６】
従って、本発明の目的は、四輪駆動及び二輪駆動による走行時に装置ケース内の潤滑油の油面位置を所望の油面位置に確保することができ、もって引き摺りトルクを低減することができるとともに、クラッチにおける耐久性の低下を抑制することができる駆動力伝達装置を提供することにある。
【課題を解決するための手段】
【００１７】
本発明は、上記目的を達成するために、（１）〜（４）の駆動力伝達装置を提供する。
【００１８】
（１）四輪駆動と二輪駆動との切り替えが可能な四輪駆動車の主駆動源によって回転する筒状の第１の回転部材と、前記第１の回転部材内に少なくとも一部が収容され、かつ前記第１の回転部材にその回転軸線上で摩擦式のクラッチを介して断続可能に連結された第２の回転部材と、前記第２の回転部材と前記第１の回転部材との間に介在する収容空間に連通して潤滑油を貯溜する収容室を有し、前記収容室内に前記第１の回転部材及び前記第２の回転部材を収容する装置ケースと、前記装置ケース内に前記回転軸線に沿って摺動可能に配置され、前記収容室を密閉するための密閉部材とを備え、前記密閉部材は、前記主駆動源と異なる副駆動源から移動力を受けて前記装置ケースとの間で摺動し、前記収容室の内容積を可変する摺動部材によって形成され、前記装置ケースは、その内部に前記クラッチのクラッチプレート間隔を短縮するためのカム推力を発生させるカム機構が配置され、
前記カム機構は、その作動力となる回転力を前記副駆動源から受けて回転する入力用のカム部材、及び前記入力用のカム部材との間で前記カム推力を発生させて出力する出力用のカム部材を有し、前記出力用のカム部材が前記密閉部材を取り付ける取付部材によって形成されている駆動力伝達装置。
【００１９】
（２）上記（１）に記載の駆動力伝達装置において、前記装置ケースは、前記密閉部材の摺動領域を内部に形成するための円筒部を有し、前記円筒部の内周面と前記密閉部材の外周部との間にシール部材が介在して配置されている。
【００２２】
（３）上記（１）又は（２）に記載の駆動力伝達装置において、前記カム機構は、前記入力用のカム部材と前記出力用のカム部材との間に互いに嵌合可能な凹凸面を有し、前記入力用のカム部材の凹凸面及び前記出力用のカム部材の凹凸面が前記入力用のカム部材の回転によって前記出力用のカム部材を前記クラッチ側に移動させるためのカム面で形成されている。
【００２３】
（４）上記（１）乃至（３）の何れかに記載の駆動力伝達装置において、前記カム機構は、前記入力用のカム部材が前記副駆動源としての回転モータに歯車伝達機構を介して連結されている。
【発明の効果】
【００２４】
本発明によると、引き摺りトルクを低減することができるとともに、クラッチにおける耐久性の低下を抑制することができる。
【図面の簡単な説明】
【００２５】
【図１】本発明の実施の形態に係る駆動力伝達装置が搭載された車両の概略を説明するために示す平面図。
【図２】本発明の実施の形態に係る駆動力伝達装置の全体を説明するために示す分解斜視図。
【図３】本発明の実施の形態に係る駆動力伝達装置の全体を説明するために示す断面図。同図において、上半分はディスコネクト状態を、また下半分はコネクト状態をそれぞれ示す。
【図４】図３のＷ部分を拡大して示す断面図。
【図５】（ａ）〜（ｃ）は、本発明の実施の形態に係る駆動力伝達装置において、第２のカム機構の入力用のカム部材を説明するために示す斜視図と平面図とそのＡ−Ａ断面図。（ａ）は斜視図を、（ｂ）は平面図を、また（ｃ）はＡ−Ａ断面図をそれぞれ示す。
【図６】（ａ）〜（ｃ）は、本発明の実施の形態に係る駆動力伝達装置において、第２のカム機構の出力用のカム部材を説明するために示す斜視図と平面図とそのＢ−Ｂ断面図。（ａ）は斜視図を、（ｂ）は平面図を、また（ｃ）はＢ−Ｂ断面図をそれぞれ示す。
【図７】（ａ）〜（ｃ）は、本発明の実施の形態に係る駆動力伝達装置における第２のカム機構の動作を説明するために示す断面図。（ａ）は非動作状態を、（ｂ）は動作状態を、また（ｃ）は動作終了（カムの乗り上げ）状態それぞれ示す。
【図８】（ａ）及び（ｂ）は、本発明の実施の形態に係る駆動力伝達装置における装置ケースの収容室の油面位置を説明するために模式化して示す断面図。（ａ）は四輪駆動車の二輪駆動時の油面位置を、また（ｂ）は四輪駆動車の四輪駆動時の油面位置をそれぞれ示す。
【発明を実施するための形態】
【００２６】
[実施の形態]
図１は四輪駆動車の概略を示す。図１に示すように、四輪駆動車２００は、駆動力伝達系２０１，エンジン（主駆動源）２０２，トランスミッション２０３，主駆動輪としての前輪２０４Ｌ，２０４Ｒ及び補助駆動輪としての後輪２０５Ｌ，２０５Ｒを備えている。
【００２７】
駆動力伝達系２０１は、四輪駆動車２００におけるトランスミッション２０３側から後輪２０５Ｌ，２０５Ｒ側に至る駆動力伝達経路にフロントディファレンシャル２０６及びリヤディファレンシャル２０７と共に配置され、かつ四輪駆動車２００の車体（図示せず）に搭載されている。
【００２８】
そして、駆動力伝達系２０１は、駆動力伝達装置１，プロペラシャフト２及び駆動力断続装置３を有し、四輪駆動車２００の四輪駆動状態を二輪駆動状態に、また二輪駆動状態を四輪駆動状態にそれぞれ切り替え可能に構成されている。駆動力伝達装置１の詳細については後述する。
【００２９】
フロントディファレンシャル２０６は、前輪側のアクスルシャフト２０８Ｌ，２０８Ｒに連結されたサイドギヤ２０９Ｌ，２０９Ｒ、サイドギヤ２０９Ｌ，２０９Ｒにギヤ軸を直交させて噛合する一対のピニオンギヤ２１０、一対のピニオンギヤ２１０を支持するギヤ支持部材２１１、及びギヤ支持部材２１１，一対のピニオンギヤ２１０，サイドギヤ２０９Ｌ・２０９Ｒを収容するフロントデフケース２１２を有し、トランスミッション２０３と駆動力断続装置３との間に配置されている。
【００３０】
リヤディファレンシャル２０７は、後輪側のアクスルシャフト２１３Ｌ，２１３Ｒに連結されたサイドギヤ２１４Ｌ，２１４Ｒ、サイドギヤ２１４Ｌ，２１４Ｒにギヤ軸を直交させて噛合する一対のピニオンギヤ２１５、一対のピニオンギヤ２１５を支持するギヤ支持部材２１６、及びギヤ支持部材２１６，一対のピニオンギヤ２１５，サイドギヤ２１４Ｌ・２１４Ｒを収容するリヤデフケース２１７を有し、プロペラシャフト２と駆動力伝達装置１との間に配置されている。
【００３１】
エンジン２０２は、トランスミッション２０３及びフロントディファレンシャル２０６を介して前輪側のアクスルシャフト２０８Ｌ，２０８Ｒに駆動力を出力することにより前輪２０４Ｌ，２０４Ｒを駆動する。
【００３２】
また、エンジン２０２は、トランスミッション２０３，駆動力断続装置３，プロペラシャフト２及びリヤディファレンシャル２０７を介して一方の後輪側のアクスルシャフト２１３Ｌに駆動力を出力することにより一方の後輪２０５Ｌを、トランスミッション２０３，駆動力断続装置３，プロペラシャフト２，リヤディファレンシャル２０７及び駆動力伝達装置１を介して他方の後輪側のアクスルシャフト２１３Ｒに駆動力を出力することにより他方の後輪２０５Ｒをそれぞれ駆動する。
【００３３】
プロペラシャフト２は、駆動力断続装置３とリヤディファレンシャル２０７との間に配置されている。そして、プロペラシャフト２は、エンジン２０２の駆動力をフロントデフケース２１２から受けて前輪２０４Ｌ，２０４Ｒ側から後輪２０５Ｌ，２０５Ｒ側に伝達するように構成されている。
【００３４】
プロペラシャフト２の前輪側端部には、互いに噛合するドライブピニオン６０及びリングギヤ６１からなる前輪側の歯車機構６が配置されている。プロペラシャフト２の後輪側端部には、互いに噛合するドライブピニオン７０及びリングギヤ７１からなる後輪側の歯車機構７が配置されている。
【００３５】
駆動力断続装置３は、フロントデフケース２１２に対して回転不能な第１のスプライン歯部３ａ、リングギヤ６１に対して回転不能な第２のスプライン歯部３ｂ、及び第１のスプライン歯部３ａ，第２のスプライン歯部３ｂにスプライン嵌合可能なスリーブ３ｃを有する例えばドグクラッチからなり、四輪駆動車２００の前輪２０４Ｌ，２０４Ｒ側に配置され、かつアクチュエータ（図示せず）を介して車両用のＥＣＵ（Electronic Control Unit：図示せず）に接続されている。そして、駆動力断続装置３は、プロペラシャフト２とフロントデフケース２１２とを断続可能に連結するように構成されている。
【００３６】
（駆動力伝達装置１の全体構成）
図２及び図３は駆動力伝達装置の全体を示す。図４は駆動力伝達装置の要部を示す。図２及び図３に示すように、駆動力伝達装置１は、メインクラッチ（多板クラッチ）８，電磁クラッチ９，パイロットクラッチ１０，ハウジング１２，インナシャフト１３，第１のカム機構１５及び第２のカム機構１６を有し、四輪駆動車２００（図１に示す）の後輪２０５Ｒ側に配置され、かつ装置ケース４内に収容されている。
【００３７】
そして、駆動力伝達装置１は、プロペラシャフト２（図１に示す）と後輪側のアクスルシャフト２１３Ｒ（図１に示す）とを断続可能に連結するように構成されている。すなわち、後輪側のアクスルシャフト２１３Ｒとプロペラシャフト２とは駆動力伝達装置１を介在させて連結されている。後輪側のアクスルシャフト２１３Ｌとプロペラシャフト２とは駆動力伝達装置１を介在させることなく連結されている。
【００３８】
これにより、駆動力伝達装置１による連結時には、一方の後輪側のアクスルシャフト２１３Ｌとプロペラシャフト２とが歯車機構７及びリヤディファレンシャル２０７（いずれも図１に示す）を介して、また他方の後輪側のアクスルシャフト２１３Ｒとプロペラシャフト２とが歯車機構７及びリヤディファレンシャル２０７を介してそれぞれトルク伝達可能に連結される。一方、駆動力伝達装置１による連結の解除時には、一方の後輪側のアクスルシャフト２１３Ｌとプロペラシャフト２とが歯車機構７及びリヤディファレンシャル２０７を介して連結されたままであるが、他方の後輪側のアクスルシャフト２１３Ｒとプロペラシャフト２との連結が遮断される。
【００３９】
装置ケース４は、回転軸線Ｏ片側（図３の右側）に開口するケース本体４０、及びケース本体４０の開口部を閉塞するケース蓋体４１からなり、四輪駆動車２００（図１に示す）の車体に配置されている。
【００４０】
装置ケース４内には、ハウジング１２及びインナシャフト１３等を収容し、かつハウジング１２（リヤハウジング１９）の収容空間１９ａに連通して潤滑油を貯溜する第１の収容室４ａが設けられている。第１の収容室４ａはケース本体４０側に配置されている。
【００４１】
また、装置ケース４内には、連結器５５及び歯車伝達機構５６等を収容し、かつ第１の収容室４ａに密閉部材（摺動部材）４３を介して隣接する第２の収容室４ｂが設けられている。第２の収容室４ｂはケース本体４０及びケース蓋体４１に跨って配置されている。
【００４２】
密閉部材４３は、基部４３ａ及びシール部４３ｂを有し、ケース本体４０内に回転軸線Ｏに沿って摺動可能に配置され、全体が第１の収容室４ａを密閉するための円環状の密閉部材によって形成されている。そして、密閉部材４３は、エンジン２０２（図１に示す）と異なる副駆動源としてのカム作動用の駆動源５から第２のカム機構１６における出力用のカム部材１６１（後述）と共に移動力を受けて円筒部４４の内周面との間で摺動し、第１の収容室４ａの内容積を可変するように構成されている。これにより、四輪駆動車２００（図１に示す）の二輪駆動による走行時には、密閉部材４３がメインクラッチ８から最も離間する部位に配置され、第１の収容室４ａの内容積が四輪駆動車２００の四輪駆動による走行時の場合と比べて大きくなる。また、四輪駆動車２００の四輪駆動による走行時には、密閉部材４３がメインクラッチ８に最も接近する部位に配置され、第１の収容室４ａの内容積が四輪駆動車２００の二輪駆動による走行時の場合と比べて小さくなる。カム作動用の駆動源５としては例えば回転モータが用いられる。
【００４３】
図４に示すように、基部４３ａは、密閉部材４３の内周側に配置され、かつ出力用のカム部材１６１（図３に示す）の外周面に例えば溶接によって取り付けられ、全体が例えば鋳鉄等の鉄合金からなる円環部材によって形成されている。基部４３ａの材料としては、鉄合金に代えて例えばアルミニウム合金など他の金属材料を用いてもよい。基部４３ａには、その外周面に開口する円環状の凹溝４３０ａが設けられている。
【００４４】
なお、基部４３ａの出力用のカム部材１６１に対する取り付けが溶接によって行われる場合について説明したが、本発明はこれに限定されず、出力用のカム部材１６１に基部４３ａを一体に形成してもよい。
【００４５】
シール部４３ｂは、密閉部材４３の外周側に配置され、かつ凹溝４３０ａ内に取り付けられ、全体が例えばシリコーンゴム等の合成ゴムからなるＯリングによって形成されている。そして、シール部４３ｂは、密閉部材４３の摺動部として機能するように構成されている。シール部４３ｂの材料としては、シリコーンゴムに代えて例えばフッ素ゴムなど他の合成ゴムを用いてもよく、合成ゴムに代えて天然ゴムを用いてもよい。また、本実施の形態ではシール部４３ｂがＯリングである場合について説明したが、本発明はこれに限定されず、Ｏリングに代えてＵリングやＸリングを用いてもよい。
【００４６】
図２及び図３に示すように、ケース本体４０には、その内部に密閉部材４３の摺動領域を形成するための円筒部４４が一体に設けられている。円筒部４４は、その内周面が密閉部材４３のシール部４３ｂに対応するシール面（被摺動面）として機能し、第２のカム機構１６における出力用のカム部材１６１の外周囲に配置されている。
【００４７】
また、ケース本体４０には、その外側面に突出し、かつ駆動源５を取り付けるための取付部４０ａが一体に設けられている。取付部４０ａには、回転軸線Ｏと平行な軸線方向に開口する貫通孔４００ａが設けられている。
【００４８】
ケース蓋体４１は、ケース本体４０にスプリングワッシャ付きのボルト４２によって取り付けられ、全体がインナシャフト１３（後述）を挿通させるキャップ部材によって形成されている。
【００４９】
駆動源５は、減速機構（図示せず）を内蔵するとともに、電動モータ５０を有し、ケース本体４０の取付部４０ａにボルト５１によって取り付けられている。駆動源５のケース本体４０に対する取り付けは位置決めピン５２を用いて行われる。減速機構としては、例えば電動モータ５０のモータ軸５０ａに固定されたウォームホイール（図示せず）、及びこのウォームホイールに噛合するウォーム５３を有する歯車減速機構が用いられる。駆動源５（ウォーム５３）には、第２のカム機構１６（後述）にその作動力としての回転力を伝達するための伝達部材５４が連結器５５を介して取り付けられている。
【００５０】
伝達部材５４は、所定の曲率半径をもつ曲面部５４ａ有し、第２のカム機構１６の上方に配置され、かつ装置ケース４内に収容されている。曲面部５４ａには、歯車伝達機構５６の一部を構成する外歯５４０ａが設けられている。伝達部材５４の連結器５５への取り付けは止め輪５７を用いて行われる。
【００５１】
連結器５５は、減速機構のウォーム５３に連結する円筒部５５ａ、及び伝達部材５４に連結する軸部５５ｂを有し、ウォーム５３と伝達部材５４との間に介在して配置されている。円筒部５５ａはその外周面に貫通孔４００ａの内周面との間でシール機構５８が介在して、また軸部５５ｂはその外周面に止め輪５７がそれぞれ取り付けられている。
【００５２】
（メインクラッチ８の構成）
メインクラッチ８は、複数のインナクラッチプレート８０及び複数のアウタクラッチプレート８１を有する摩擦式のメインクラッチからなり、第１の回転部材としてのハウジング１２と第２の回転部材としてのインナシャフト１３との間に配置されている。
【００５３】
そして、メインクラッチ８は、複数のインナクラッチプレート８０及び複数のアウタクラッチプレート８１のうち互いに隣り合う内外のクラッチプレート同士を摩擦係合させ、またその摩擦係合を解除してハウジング１２とインナシャフト１３とを断続可能に連結するように構成されている。
【００５４】
インナクラッチプレート８０及びアウタクラッチプレート８１は、回転軸線Ｏに沿って交互に配置され、全体が環状の摩擦板によって形成されている。複数のインナクラッチプレート８０及び複数のアウタクラッチプレート８１のうち互いに隣り合う２つのクラッチプレート間のクリアランスＣ（図示せず）は、四輪駆動車２００（図１に示す）の二輪駆動時に潤滑油の粘性に基づく引き摺りトルクによってクラッチプレート同士が摩擦係合しない寸法に設定されている。
【００５５】
インナクラッチプレート８０は、その内周部にストレートスプライン嵌合部８０ａを有し、ストレートスプライン嵌合部８０ａを円筒部１３ａ（インナシャフト１３）のストレートスプライン嵌合部１３２ａに嵌合させてインナシャフト１３に相対回転不能かつ相対移動可能に連結されている。
【００５６】
インナクラッチプレート８０には、その円周方向に沿って並列し、かつ回転軸線Ｏ方向に開口する複数の油孔８０ｂが設けられている。複数のインナクラッチプレート８０のうち電磁クラッチ側最端部のインナクラッチプレートは、メインクラッチ８の一方側の入力部として機能し、第１のカム機構１５のメインカム１５１（後述）からアウタクラッチプレート８１側に押付力（第１のカム推力）Ｐ１を受けると、この押付方向への移動によって互いに隣り合うインナクラッチプレート８０とアウタクラッチプレート８１とを摩擦係合させるように構成されている。また、複数のインナクラッチプレート８０のうち電磁クラッチ９側の最端部と反対側の最端部のインナクラッチプレートは、メインクラッチ８の他方側の入力部として機能し、第２のカム機構１６の出力用のカム部材１６１（後述）から押付部材１６２（後述）を介してアウタクラッチプレート８１側に押付力（第２のカム推力）Ｐ２を受けると、この押付方向への移動によって互いに隣り合うインナクラッチプレート８０とアウタクラッチプレート８１との間のクリアランスＣ（図示せず）を例えばＣ＝０に短縮するように構成されている。
【００５７】
アウタクラッチプレート８１は、その外周部にストレートスプライン嵌合部８１ａを有し、ストレートスプライン嵌合部８１ａをリヤハウジング１９のストレートスプライン嵌合部１９ｂ（後述）に嵌合させてハウジング１２に相対回転不能かつ相対移動可能に連結されている。
【００５８】
（ハウジング１２の構成）
ハウジング１２は、フロントハウジング１８及びリヤハウジング１９からなり、回転軸線Ｏ上に配置され、かつサイドギヤ２１４Ｒ及び後輪側のアクスルシャフト２１３Ｒ（共に図１に示す）に連結されている。
【００５９】
フロントハウジング１８は、第１〜第３のハウジングエレメント２０〜２２からなり、リヤハウジング１９の開口内周面に取り付けられ、かつコイルホルダ２３に玉軸受２４を介して回転可能に支持されている。
【００６０】
コイルホルダ２３は、その外周面に装置ケース４の内周面との間で介在するシール部材２５が取り付けられ、全体がフロントハウジング１８を挿通させる鍔付き円環部材によって形成されている。コイルホルダ２３の装置ケース４に対する取り付けは、位置決めピン２６を用いて行われる。また、コイルホルダ２３は、その内周囲にフロントハウジング１８（第１のハウジングエレメント２０）の外周面との間で介在する環状空間２７が形成されている。コイルホルダ２３には、装置ケース４内に開口する油路２３ａ、及び油路２３ａに連通して環状空間２７に開口する油路２３ｂが設けられている。油路２３ａはコイルホルダ２３の軸線と平行な軸線をもって、また油路２３ｂは油路２３ａの軸線と直交する軸線をもってそれぞれ形成されている。油路２３ｂには、コイルホルダ２３外側への潤滑油の漏洩を防止するためのボール状の栓体２８が取り付けられている。
【００６１】
玉軸受２４は、その軸線方向の移動が止め輪２９，３０によって規制され、かつ環状空間２７に配置されている。
【００６２】
第１のハウジングエレメント２０は、フロントハウジング１８の内周側に配置され、全体が軟鉄等の磁性材料からなる軸状部材によって形成されている。第１のハウジングエレメント２０の外周囲には、第２のハウジングエレメント２１の内周面との間で介在する環状空間３１が形成されている。また、第１のハウジングエレメント２０の外周囲には、コイルホルダ２３の内周面との間で介在するシール機構３２が配置されている。第１のハウジングエレメント２０の内周囲には、インナシャフト１３の外周面との間で介在する針状ころ軸受３３が配置されている。
【００６３】
第１のハウジングエレメント２０には、各孔径を互いに異にする３つの孔部２０ａ〜２０ｃが設けられている。また、第１のハウジングエレメント２０には、環状空間３１，孔部２０ａに開口する油路２００ａ、及び環状空間２７，孔部２０ｂに開口する油路２０１ａが設けられている。
【００６４】
第２のハウジングエレメント２１は、フロントハウジング１８の外周側に配置され、全体が軟鉄等の磁性材料からなる円筒部材によって形成されている。第２のハウジングエレメント２１の外周面には、その径方向に突出する複数（本実施の形態では４個）の係合凸部２１ａが設けられている。複数の係合凸部２１ａは、第２のハウジングエレメント２１の円周方向に等間隔をもって配置されている。第２のハウジングエレメント２１には、その外周面及び環状空間３１に開口する油路２１ｂが設けられている。
【００６５】
第３のハウジングエレメント２２は、第１のハウジングエレメント２０と第２のハウジングエレメント２１との間に介在して配置され、全体がステンレス鋼等の非磁性材料からなるハウジングエレメント連結用の円環部材によって形成されている。
【００６６】
リヤハウジング１９は、フロントハウジング１８側とその反対側とに開口する収容空間１９ａ、及びこの収容空間１９ａに露出するストレートスプライン嵌合部１９ｂを有し、装置ケース４内に収容され、全体が無底円筒部材によって形成されている。収容空間１９ａはフロントハウジング１８とリヤハウジング１９との間に介在して、またストレートスプライン嵌合部１９ｂはリヤハウジング１９の内周面にそれぞれ配置されている。そして、リヤハウジング１９は、フロントハウジング１８と共に回転軸線Ｏの回りに回転するように構成されている。
【００６７】
リヤハウジング１９には、その外周面にコイルホルダ２３側で突出するフランジ１９ｃが設けられている。また、リヤハウジング１９には、フロントハウジング１８（第２のハウジングエレメント２１）の係合凸部２１ａに係合する複数（本実施の形態では４個）の係合凹部１９ｄが設けられている。リヤハウジング１９の外周面には、フランジ１９ｃと係合凸部２１ａとの間に介在する止め輪３４が取り付けられている。
【００６８】
（インナシャフト１３の構成）
インナシャフト１３は、各外径が互いに異なる３つの円筒部１３ａ〜１３ｃ、これら円筒部１３ａ〜１３ｃのうち円筒部１３ａ，１３ｂ間に介在する段差面１３ｄ、及び円筒部１３ａ，１３ｃ間に介在する段差面１３ｅを有し、回転軸線Ｏ上に配置され、かつ一部がハウジング１２内に収容され、全体が軸線両方向に開口する無底円筒部材によって形成されている。円筒部１３ａの外径は最大の寸法（最大外径）に、円筒部１３ｂの外径は最小の寸法（最小外径）に、また円筒部１３ｃの外径は円筒部１３ａの外径と円筒部１３ｂの外径との間の寸法（中間外径）にそれぞれ設定されている。そして、インナシャフト１３は、その開口部内に後輪側のアクスルシャフト２１３Ｒ（図１に示す）の先端部を挿入させて収容するように構成されている。後輪側のアクスルシャフト２１３Ｒは、インナシャフト１３にスプライン嵌合によって相対回転不能かつ相対移動可能に連結されている。
【００６９】
最大外径の円筒部１３ａは、最小外径の円筒部１３ｂと中間外径の円筒部１３ｃとの間に介在してインナシャフト１３の軸線方向中央部に配置されている。最大外径の円筒部１３ａの外周面には、孔部２０ａ内のフロントハウジング１８側で突出するフランジ１３０ａが一体に設けられている。フランジ１３０ａには、その両端面に開口する油流動路１３１ａが設けられている。
【００７０】
また、最大外径の円筒部１３ａの外周面には、リヤハウジング１９の収容空間１９ａに露出し、メインクラッチ８におけるインナクラッチプレート８０のストレートスプライン嵌合部８０ａに嵌合するストレートスプライン嵌合部１３２ａが設けられている。
【００７１】
最大外径の円筒部１３ａの内周面には、装置ケース４内における潤滑油の装置ケース４外への流出を防止するためのキャップ状の栓体３５が取り付けられている。最大外径の円筒部１３ａには、その内外周面に栓体３５とフランジ１３０ａとの間で開口する油路１３３ａが設けられている。
【００７２】
最小外径の円筒部１３ｂは、インナシャフト１３の一方側（図３では左側）に配置され、かつフロントハウジング１８の孔部２０ｃ内に針状ころ軸受３３を介して回転可能に支持されている。最小外径の円筒部１３ｂには、そのフロントハウジング１８側の開口部を閉塞する有底円筒状のシャフト蓋３６が取り付けられている。
【００７３】
シャフト蓋３６には、フロントハウジング１８（第１のハウジングエレメント２０）における孔部２０ｂの内周面との間にポンプを形成する外周面３６０ａを有する截頭円錐形状のポンプ形成部３６ａが一体に設けられている。ポンプ形成部３６ａの外周面３６０ａは、第１のハウジングエレメント２０の内周面との間に孔部２０ｂ側から孔部２０ｃに潤滑油を導入して針状ころ軸受３３等に供給するための環状空間３７が形成されている。環状空間３７は、その内外径が油流入（導入）側から油流出（導出）側に向かって漸次大きくなる寸法に設定されている。
【００７４】
中間外径の円筒部１３ｃは、インナシャフト１３の他方側（図３では右側）に配置され、装置ケース４（ケース蓋体４１）の内周面に玉軸受３８を介して回転可能に支持されている。中間外径の円筒部１３ｃの外周面には、玉軸受３８と段差面１３ｅとの間に介在する円筒状の受部材３９が取り付けられている。中間外径の円筒部１３ｃの先端部には、その外周面とケース蓋体４１の内周面との間に介在するシール機構４５が配置されている。玉軸受３８は、その軸線方向の移動が止め輪４６，４７によって規制され、かつ中間外径の円筒部１３ｃの外周面とケース蓋体４１の内周面との間に介在して配置されている。
【００７５】
（電磁クラッチ９の構成）
電磁クラッチ９は、電磁コイル９０及びアーマチャ９１を有し、メインクラッチ８にハウジング１２の回転軸線Ｏ上で並列して配置されている。そして、電磁クラッチ９は、ハウジング１２の回転時に電磁力Ｆの発生によるアーマチャ９１の電磁コイル９０側への移動によって第１のカム機構１５を作動させ、パイロットクラッチ１０のインナクラッチプレート１００とアウタクラッチプレート１０１とを互いに摩擦係合させるように構成されている。
【００７６】
電磁コイル９０は、車両用のＥＣＵに接続され、かつコイルホルダ２３内に保持されている。そして、電磁コイル９０は、通電によってフロントハウジング１８及びアーマチャ９１等に跨って磁気回路Ｍを形成し、アーマチャ９１にフロントハウジング１８側への移動力を付与するための電磁力Ｆを発生させるように構成されている。
【００７７】
アーマチャ９１は、その外周面にストレートスプライン嵌合部９１ａを有し、ストレートスプライン嵌合部９１ａをストレートスプライン嵌合部１９ｂに嵌合させてリヤハウジング１９に相対回転不能かつ相対移動可能に連結され、第１のカム機構１５（メインカム１５１）とパイロットクラッチ１０との間に介在してリヤハウジング１９の収容空間１９ａに収容され、全体が鉄等の磁性材料からなる円環部材によって形成されている。そして、アーマチャ９１は、電磁コイル９０の電磁力Ｆを受け、フロントハウジング１８側に回転軸線Ｏに沿って移動するように構成されている。
【００７８】
（パイロットクラッチ１０の構成）
パイロットクラッチ１０は、電磁クラッチ９への通電によるアーマチャ９１の電磁コイル９０側への移動によって互いに摩擦係合可能なインナクラッチプレート１００及びアウタクラッチプレート１０１を有し、アーマチャ９１とフロントハウジング１８との間に配置され、かつリヤハウジング１９の収容空間１９ａに収容されている。そして、パイロットクラッチ１０は、インナクラッチプレート１００及びアウタクラッチプレート１０１のうち互いに隣り合うクラッチプレート同士を摩擦係合させ、またその摩擦係合を解除してリヤハウジング１９と第１のカム機構１５（パイロットカム１５０）とを断続可能に連結するように構成されている。
【００７９】
インナクラッチプレート１００及びアウタクラッチプレート１０１は、回転軸線Ｏに沿って交互に配置され、全体が環状の摩擦板によって形成されている。
【００８０】
インナクラッチプレート１００は、その内周部にストレートスプライン嵌合部１００ａを有し、ストレートスプライン嵌合部１００ａをストレートスプライン嵌合部１５０ａに嵌合させてパイロットカム１５０に相対回転不能かつ相対移動可能に連結されている。
【００８１】
アウタクラッチプレート１０１は、その外周部にストレートスプライン嵌合部１０１ａを有し、ストレートスプライン嵌合部１０１ａをストレートスプライン嵌合部１９ｂに嵌合させてリヤハウジング１９に相対回転不能かつ相対移動可能に連結されている。
【００８２】
（第１のカム機構１５の構成）
第１のカム機構１５は、ハウジング１２（リヤハウジング１９）からの回転力を受けて回転する入力用のボールカム部材（パイロットカム）１５０、このパイロットカム１５０に回転軸線Ｏに沿って並列する出力用のボールカム部材（メインカム）１５１、及びこのメインカム１５１とパイロットカム１５０との間に介在する複数（本実施の形態では６個）の球状のカムフォロア１５２を有し、メインクラッチ８とフロントハウジング１８との間に配置され、かつリヤハウジング１９の収容空間１９ａに収容されている。そして、第１のカム機構１５は、電磁クラッチ９のクラッチ動作によって受けるハウジング１２からの回転力をメインクラッチ８のクラッチ力となる押付力（第１のカム推力）Ｐ１に変換するように構成されている。
【００８３】
パイロットカム１５０は、その外周部にインナクラッチプレート１００のストレートスプライン嵌合部１００ａに嵌合するストレートスプライン嵌合部１５０ａを有し、インナシャフト１３（円筒部１３ａ）のフランジ１３０ａに針状ころ軸受１５３を介して回転可能に支持され、全体がインナシャフト１３を挿通させる円環部材によって形成されている。そして、パイロットカム１５０は、メインカム１５１との間に第１のカム推力Ｐ１を発生させてメインクラッチ８に出力するように構成されている。
【００８４】
パイロットカム１５０には、円周方向に並列し、かつカムフォロア１５２側に開口する複数（実施の形態では６個）のカム溝１５０ｂが設けられている。複数のカム溝１５０ｂは、パイロットカム１５０の円周方向に等間隔をもって配置されている。そして、複数のカム溝１５０ｂは、その中立位置からパイロットカム１５０の円周方向に沿って軸線方向の深さが漸次浅くなる凹溝によって形成されている。
【００８５】
メインカム１５１は、クラッチプレート押付部１５１ａをメインクラッチ８側に有し、インナシャフト１３（最大外径の円筒部１３ａ）に相対移動可能に回転軸線Ｏに沿って配置され、全体がインナシャフト１３を挿通させる円環部材によって形成されている。そして、メインカム１５１は、電磁コイル９１の通電状態において第１のカム機構１５によるカム作用によって、すなわちパイロットカム１５０の回転によって発生する第１のカム推力Ｐ１をカムフォロア１５２から受けてメインクラッチ８側に移動し、回転軸線Ｏの一方側（図３の左側）でメインクラッチ８の入力側のインナクラッチプレート８０にクラッチプレート押付部１５１ａを押し付けるように構成されている。
【００８６】
メインカム１５１には、円周方向に等間隔をもって並列し、かつカムフォロア１５２側に開口する複数（実施の形態では６個）のカム溝１５１ｂが設けられている。そして、複数のカム溝１５１ｂは、その中立位置からメインカム１５１の円周方向に沿って軸線方向の深さが漸次浅くなる凹溝によって形成されている。また、メインカム１５１には、回転軸線Ｏと平行な方向に開口する複数（実施の形態では６個）の油孔１５１ｃ、及び複数のカム溝１５１ｂの開口方向と反対方向に開口する複数（実施の形態では６個）のピン取付孔１５１ｄが設けられている。複数の油孔１５１ｃ及び複数のピン取付孔１５１ｄは、メインカム１５１の円周方向に等間隔をもって交互に配置されている。
【００８７】
ピン取付孔１５１ｄには、メインカム１５１と押付部材１６２（第２のカム機構１６における出力用のカム部材１６１）との間に介在する復帰用スプリング１５４のばね力を案内するガイドピン１５５が取り付けられている。これにより、復帰用スプリング１５４のばね力がメインカム１５１及び出力用のカム部材１６１を互いに離間させる方向に作用し、インナクラッチプレート８０及びアウタクラッチプレート８１のうち互いに隣り合う２つのクラッチプレート間のクリアランスが四輪駆動車２００（図１に示す）の二輪駆動時に潤滑油の粘性に基づく引き摺りトルクによってクラッチプレート同士を摩擦係合させない寸法に設定される。
【００８８】
カムフォロア１５２は、パイロットカム１５０のカム溝１５０ｂとメインカム１５１のカム溝１５１ｂとの間に介在して配置され、かつリテーナ１５６によって転動可能に保持されている。
【００８９】
（第２のカム機構１６の構成）
第２のカム機構１６は、その作動力となる回転力を駆動源５から受けて回転する入力用のカム部材１６０、及び入力用のカム部材１６０に回転軸線Ｏ上で並列する出力用のカム部材１６１を有し、第１のカム機構１５にメインクラッチ８を介して回転軸線Ｏ上で対向する位置に配置されている。そして、第２のカム機構１６は、第１のカム機構１５による第１のカム推力Ｐ１の変換に先行して作動し、押付部材１６２をメインクラッチ８に押し付けてインナクラッチプレート８０とアウタクラッチプレート８１との間のクリアランスＣ（図示せず）を例えばＣ＝０に短縮するための第２のカム推力Ｐ２を第１のカム推力Ｐ１の方向と反対方向に沿って入力用のカム部材１６０と出力用のカム部材１６１との間で発生させるように構成されている。
【００９０】
図５（ａ）〜（ｃ）は入力用のカム部材を示す。図３及び図５（ａ）〜（ｃ）に示すように、入力用のカム部材１６０は、出力用のカム部材１６１に対向する側に凹凸面１６３有し、伝達部材５４に歯車伝達機構５６を介して連結され、かつ受部材３９に針状ころ軸受１６４を介して回転可能に支持され、全体がインナシャフト１３を挿通させる円環部材によって形成されている。
【００９１】
凹凸面１６３は、入力用のカム部材１６０の円周方向に沿って交互に並列する凹部１６５及び凸部１６６を有し、出力用のカム部材１６１の凹凸面１６８との間において円周方向の相対移動によって軸線方向に相対移動するためのカム面で形成されている。本実施の形態では、凹凸面１６３が入力用のカム部材１６０の回転によって出力用のカム部材１６１を軸線（回転軸線Ｏ）方向に沿ってメインクラッチ８側に移動させるためのカム面で形成されている。
【００９２】
凹部１６５は、入力用のカム部材１６０の軸線方向一方側から軸線方向他方側（出力用のカム部材１６１側）に向かって切り欠き幅を漸次大きくする一対の切り欠き側面１６５ａ，１６５ｂ、及び一対の切り欠き側面１６５ａ，１６５ｂ間に介在する切り欠き底面（×面）１６５ｃを有する断面台形状の切り欠きによって形成されている。
【００９３】
一方の切り欠き側面１６５ａは、回転軸線Ｏ回りの一方側で切り欠き底面１６５ｃに対し傾斜してカムとして、また他方の切り欠き側面１６５ｂは回転軸線Ｏ回りの他方側で切り欠き底面１６５ｃに直交してストッパとしてそれぞれ機能するように構成されている。
【００９４】
凸部１６６は、互いに隣り合う２つの凹部１６５のうち一方の凹部においてカムとして機能する切り欠き側面１６５ａ、他方の凹部においてストッパとして機能する切り欠き側面１６５ｂ、及びこれら切り欠き側面１６５ａ，１６５ｂ間に介在する端面（○面）１６６ａを有する断面台形状の突起部によって形成されている。
【００９５】
入力用のカム部材１６０には、外周縁に沿って突出する扇形状の凸片１６７が一体に設けられている。凸片１６７には、伝達部材５４の外歯５４０ａに噛合する外歯１６７ａが設けられている。
【００９６】
図６（ａ）〜（ｃ）は出力用のカム部材を示す。図３及び図６（ａ）〜（ｃ）に示すように、出力用のカム部材１６１は、入力用のカム部材１６０における凹凸面１６３に嵌合可能な凹凸面１６８を有し、入力用のカム部材１６０と押付部材１６２との間に介在して軸線方向に移動可能（円周方向には移動不能）に配置され、全体がインナシャフト１３を挿通させる円環部材によって形成されている。また、出力用のカム部材１６１は、その外周面に密閉部材４３における基部４３ａの内周面を取り付ける取付部材として機能するように構成されている。
【００９７】
凹凸面１６８は、出力用のカム部材１６１の円周方向に沿って交互に並列する凹部１６９及び凸部１７０を有し、入力用のカム部材１６０の凹凸面１６３との間において円周方向の相対移動によって軸線方向に相対移動するためのカム面で形成されている。本実施の形態では、凹凸面１６８が入力用のカム部材１６０の回転によって出力用のカム部材１６１を軸線（回転軸線Ｏ）方向に沿ってメインクラッチ８側に移動させるためのカム面で形成されている。
【００９８】
凹部１６９は、出力用のカム部材１６１の軸線方向一方側から軸線方向他方側（入力用のカム部材１６０側）に向かって切り欠き幅を大きくする一対の切り欠き側面１６９ａ，１６９ｂ、及び一対の切り欠き側面１６９ａ，１６９ｂ間に介在する切り欠き底面（×面）１６９ｃを有する断面台形状の切り欠きによって形成されている。
【００９９】
一方の切り欠き側面１６９ａは、入力用のカム部材１６０における凹凸面１６３の切り欠き側面１６５ａに対応し、回転軸線Ｏ回りの他方側で切り欠き底面１６９ｃに対し傾斜してカムとして機能するように構成されてきる。また、他方の切り欠き側面１６９ｂは、入力用のカム部材１６０における凹凸面１６３の切り欠き側面１６５ｂに対応し、回転軸線Ｏ回りの一方側で切り欠き底面１６９ｃに直交してストッパとして機能するように構成されている。
【０１００】
凸部１７０は、互いに隣り合う２つの凹部１６９のうち一方の凹部におけるカムとして機能する切り欠き側面１６９ａ、他方の凹部におけるストッパとして機能する切り欠き側面１６９ｂ、及びこれら切り欠き側面１６９ａ，１６９ｂ間に介在する端面（○面）１７０ａを有する断面台形状の突起部によって形成されている。
【０１０１】
これにより、入力用のカム部材１６０における凹凸面１６３と出力用のカム部材１６１における凹凸面１６８が切り欠き底面１６５ｃ，１６９ｃを互いに当接させた初期状態において、入力用のカム部材１６０が回転軸線Ｏ回りの一方向に回転すると、入力用のカム部材１６０が切り欠き側面１６５ａを出力用のカム部材１６１の切り欠き側面１６９ａに当接させて回転軸線Ｏ回りに移動する。このため、カムとしての機能をもつ両切り欠き側面１６５ａ，１６９ａ間にカム作用が発生し、これに伴い第２のカム推力Ｐ２が入力用のカム部材１６０から出力用のカム部材１６１に作用し、出力用のカム部材１６１が入力用のカム部材１６０から離間する方向に回転軸線Ｏに沿って移動する。この場合、出力用のカム部材１６１の移動は、凹凸面１６８の端面１７０ａに入力用のカム部材１６０における凹凸面１６３の端面１６６ａが乗り上げるまで行われる。
【０１０２】
なお、入力用のカム部材１６０が回転軸線Ｏ回りの他方向に回転すると、ストッパとして機能をもつ両切り欠き側面１６５ｂ，切り欠き側面１６９ｂが互いに当接するため、両切り欠き側面１６５ａ，１６９ａ間にカム作用が発生せず、出力用のカム部材１６１が上記のようには軸線方向に移動することがない。
【０１０３】
押付部材１６２は、その内周縁にストレートスプライン嵌合部１６２ａを有するとともに、メインクラッチ８側にクラッチプレート押付部１６２ｂを有し、ストレートスプライン嵌合部１６２ａをインナシャフト１３（円筒部１３ａ）のストレートスプライン嵌合部１３２ａに嵌合させてインナシャフト１３に相対回転不能かつ相対移動可能に連結され、かつ出力用のカム部材１６１に針状ころ軸受１７１を介して回転可能に支持され、全体がインナシャフト１３を挿通させる円環部材によって形成されている。
【０１０４】
そして、押付部材１６２は、第２のカム機構１６の作動によって発生する第２のカム推力Ｐ２を出力用のカム部材１６１から受けてメインクラッチ８側に移動し、回転軸線Ｏの他方側（図３の右側）でメインクラッチ８の入力側のアウタクラッチプレート８１にクラッチプレート押付部１６２ｂを押し付けるように構成されている。
【０１０５】
（駆動力伝達装置１の動作）
次に、本実施の形態に示す駆動力伝達装置の動作につき、図１，図３，図４及び図８（ａ）〜（ｃ）を用いて説明する。図７（ａ）〜（ｃ）は第２のカム機構における入力用のカム部材及び出力用のカム部材の動作状態を示す。図８（ａ）及び（ｂ）は第１の収容室における潤滑油の油面位置を示す。
【０１０６】
図１において、四輪駆動車２００の二輪駆動時にエンジン２０２を始動すると、エンジン２０２の回転駆動力がトランスミッション２０３を介してフロントディファレンシャル２０６に伝達され、さらにフロントディファレンシャル２０６から前輪側のアクスルシャフト２０８Ｌ，２０８Ｒを介して前輪２０４Ｌ，２０４Ｒに伝達され、前輪２０４Ｌ，２０４Ｒが回転駆動される。
【０１０７】
この場合、駆動力断続装置３は、第１のスプライン歯部３ａと第２のスプライン歯部３ｂとの間で動力伝達が不能となっている。また、図３（上半分）において、電磁クラッチ９の電磁コイル９０が非通電状態にあるため、電磁コイル９０を基点とした磁気回路Ｍが形成されず、アーマチャ９１が電磁コイル９０側に移動してハウジング１２に連結されることがない。
【０１０８】
このため、第１のカム機構１５においてメインクラッチ８のクラッチ力となる第１のカム推力Ｐ１が発生せず、メインクラッチ８のインナクラッチプレート８０とアウタクラッチプレート８１とが互いに摩擦係合せず、エンジン２０２の回転駆動力はハウジング１２からインナシャフト１３に伝達されない。
【０１０９】
一方、二輪駆動状態にある四輪駆動車２００を四輪駆動状態に切り替えるには、駆動力伝達装置１によってプロペラシャフト２と後輪側のアクスルシャフト２１３Ｒ（プロペラシャフト２と後輪側のアクスルシャフト２１３Ｌとはリヤディファレンシャル２０７を介して常時連結）とをトルク伝達可能に連結し、引き続き駆動力断続装置３によってフロントデフケース２１２とプロペラシャフト２とをトルク伝達可能に連結する。
【０１１０】
ここで、プロペラシャフト２と後輪側のアクスルシャフト２１３Ｌ，２１３Ｒの連結時には、先ず駆動源５の駆動力を第２のカム機構１６に付与し、第２のカム機構１６を作動させる。この場合、第２のカム機構１６が作動すると、入力用のカム部材１６０が回転軸線Ｏ回りに回転する。
【０１１１】
このため、図７（ａ）に示すように、入力用のカム部材１６０における凹凸面１６３と出力用のカム部材１６１における凹凸面１６８とが切り欠き底面１６５ｃと端面１７０ａとを、また端面１６６ａと切り欠き底面１６９ｃとをそれぞれ互いに当接させた初期状態から、入力用のカム部材１６０が切り欠き側面１６５ａを出力用のカム部材１６１の切り欠き側面１６９ａに当接させて回転軸線Ｏ（図３に示す）回りに移動する。この際、両切り欠き側面１６５ａ，１６９ａ間にカム作用が発生し、これに伴い第２のカム推力Ｐ２が入力用のカム部材１６０から出力用のカム部材１６１に作用する。これにより、図７（ｂ）に示すように、出力用のカム部材１６１が入力用のカム部材１６０から離間する矢印Ｘ２方向に回転軸線Ｏに沿って移動する。この場合、出力用のカム部材１６１の移動は、図７（ｃ）に示すように、凹凸面１６８の端面１７０ａに入力用のカム部材１６０における凹凸面１６３の端面１６６ａが乗り上げるまで行われる。
【０１１２】
そして、出力用のカム部材１６１が矢印Ｘ２方向への移動によって押付部材１６２をメインクラッチ８側に復帰用スプリング１５４に抗して移動させ、押付部材１６２がクラッチプレート押付部１６２ｂでメインクラッチ８を第１のカム機構１５側に押し付けて移動させる。これにより、複数のインナクラッチプレート８０及び複数のアウタクラッチプレート８１のうち互いに隣り合う２つのクラッチプレート間のクリアランスＣ（図示せず）が例えばＣ＝０となる。
【０１１３】
次に、電磁コイル９０が通電されると、電磁コイル９０を基点とした磁気回路Ｍがコイルホルダ２３，アーマチャ９１及びフロントハウジング１８に跨って形成され、アーマチャ９１が電磁コイル９０への通電に基づいて発生する電磁力Ｆ（吸引力）によってフロントハウジング１８に接近する方向に移動する。このため、アーマチャ９１がフロントハウジング１８にパイロットクラッチ１０を介して連結され、ハウジング１２の回転力がパイロットカム１５０に伝達され、パイロットカム１５０が回転する。
【０１１４】
これに伴い、第１のカム機構１５が作動し、第１のカム機構１５において発生するカム作用によってメインクラッチ８のクラッチ力となる第１のカム推力Ｐ１に変換され、この第１のカム推力Ｐ１によってメインクラッチ８のクラッチプレート８０，８１同士を摩擦係合させる方向（矢印Ｘ１方向）にメインカム１５１が復帰用スプリング１５４のばね力に抗して移動する。
【０１１５】
そして、メインカム１５１が矢印Ｘ１方向への移動によってクラッチプレート押付部１５１ａでメインクラッチ８を第２のカム機構１６側に押し付ける。
【０１１６】
これにより、複数のインナクラッチプレート８０及び複数のアウタクラッチプレート８１のうち互いに隣り合う２つのクラッチプレートが摩擦係合し、エンジン２０２の回転駆動力がハウジング１２からインナシャフト１３に伝達され、さらにインナシャフト１３から後輪側のアクスルシャフト２１３Ｌ，２１３Ｒを介して後輪２０５Ｌ，２０５Ｒに伝達され、後輪２０５Ｌ，２０５Ｒが回転駆動される。
【０１１７】
次に、四輪駆動車２００の二輪駆動及び四輪駆動に伴う装置ケース４（第１の収容室４ａ）内における潤滑油の油面位置について説明する。
【０１１８】
四輪駆動車２００（図１に示す）の二輪駆動による走行時には、第２のカム機構１６が非作動状態であり、出力用のカム部材１６１がメインクラッチ８から最も離間する部位に配置される。このため、密閉部材４３がメインクラッチ８から最も離間する部位に配置され、第１の収容室４ａの内容積が四輪駆動車２００の四輪駆動による走行時の場合と比べて大きくなる。これにより、図８（ａ）に示すように、第１の収容室４ａ内における潤滑油の油面位置ａが四輪駆動車２００の四輪駆動による走行時の場合（図８（ｂ）に示す場合）と比べて低くなり、潤滑油の粘性に基づいて発生する引き摺りトルクを低減することができる。
【０１１９】
一方、四輪駆動車２００の四輪駆動による走行時には、第２のカム機構１６の作動によって出力用のカム部材１６１がメインクラッチ８に最も接近する部位に移動する。このため、密閉部材４３がメインクラッチ８に最も接近する部位に配置され、第１の収容室４ａの内容積が四輪駆動車２００の二輪駆動による走行時の場合と比べて小さくなる。これにより、図８（ｂ）に示すように、第１の収容室４ａ内における潤滑油の油面位置ｂが四輪駆動車２００の二輪駆動による走行時の場合（図８（ａ）に示す場合）と比べて高くなり、メインクラッチ８及びパイロットクラッチ１０に潤滑油を十分に供給してその耐久性の低下を抑制することができる。
【０１２０】
[実施の形態の効果]
以上説明した実施の形態によれば、次に示す効果が得られる。
【０１２１】
（１）四輪駆動車２００の四輪駆動及び二輪駆動による走行時に装置ケース４（第１の収容室４ａ）内における潤滑油の油面位置を所望の油面位置に確保することができ、引き摺りトルクを低減することができるとともに、メインクラッチ８及びパイロットクラッチ１０における耐久性の低下を抑制することができる。
【０１２２】
（２）メインクラッチ８のクラッチプレート間隔を短縮する（第２のカム機構１６を作動させる）ための駆動源５を利用して密閉部材４３を移動させることができるため、専用の駆動源が不要になり、コストの低廉化を図ることができる。
【０１２３】
以上、本発明の駆動力伝達装置を上記実施の形態に基づいて説明したが、本発明は上記実施の形態に限定されるものではなく、その要旨を逸脱しない範囲で種々の態様において実施することが可能であり、例えば次に示すような変形も可能である。
【０１２４】
（１）上記実施の形態では、シール部材としてのシール部４３ｂが密閉部材４３側に配置されている場合について説明したが、本発明はこれに限定されず、装置ケース（円筒部）側にシール部材を配置してもよい。すなわち要するに、本発明は、円筒部の内周面と密閉部材の外周部との間にシール部材が介在して配置されていればよい。
【０１２５】
（２）上記実施の形態では、第２のカム機構１６の作動によってインナクラッチプレート８０とアウタクラッチプレート８１との間のクリアランスＣ（図示せず）を例えばＣ＝０に短縮するための第２のカム推力Ｐ２を発生させる場合について説明したが、本発明はこれに限定されず、第２のカム機構１６の作動によってメインクラッチ８にクラッチプレート同士のクリアランスが初期状態の場合と比べて小さくなるような第２のカム推力Ｐ２を発生させてもよい。
【０１２６】
（３）上記実施の形態では、ハウジング１２が入力軸側に、またインナシャフト１３が出力軸側にそれぞれ連結されている場合について説明したが、本発明はこれに限定されず、ハウジングを出力軸側に、またインナシャフトを入力軸側にそれぞれ連結しても本実施の形態と同様の効果を奏する。
【符号の説明】
【０１２７】
１…駆動力伝達装置、２…プロペラシャフト、３…駆動力断続装置、３ａ…第１のスプライン歯部、３ｂ…第２のスプライン歯部、３ｃ…スリーブ、４…装置ケース、４ａ…第１の収容室、４ｂ…第２の収容室、４３…密閉部材、４３ａ…基部、４３０ａ…凹溝、４３ｂ…シール部、４４…円筒部、４０…ケース本体、４０ａ…取付部、４００ａ…貫通孔、４１…ケース蓋体、４２…ワッシャ付きのボルト、５…駆動源、５０…電動モータ、５０ａ…モータ軸、５１…ボルト、５２…位置決めピン、５３…ウォーム、５４…伝達部材、５４ａ…曲面部、５４０ａ…外歯、５５…連結器、５５ａ…円筒部、５５ｂ…軸部、５６…歯車伝達機構、５７…止め輪、５８…シール機構、６…歯車機構、６０…ドライブピニオン、６１…リングギヤ、７…歯車機構、７０…ドライブピニオン、７１…リングギヤ、８…メインクラッチ、８０…インナクラッチプレート、８０ａ…ストレートスプライン嵌合部、８０ｂ…油孔、８１…アウタクラッチプレート、８１ａ…ストレートスプライン嵌合部、９…電磁クラッチ、９０…電磁コイル、９１…アーマチャ、９１ａ…ストレートスプライン嵌合部、１０…パイロットクラッチ、１００…インナクラッチプレート、１００ａ…ストレートスプライン嵌合部、１０１…アウタクラッチプレート、１０１ａ…ストレートスプライン嵌合部、１２…ハウジング、１３…インナシャフト、１３ａ〜１３ｃ…円筒部、１３ｄ，１３ｅ…段差面、１３０ａ…フランジ、１３１ａ…油流動路、１３２ａ…ストレートスプライン嵌合部、１３３ａ…油路、１５…第１のカム機構、１５０…パイロットカム、１５０ａ…ストレートスプライン嵌合部、１５０ｂ…カム溝、１５１…メインカム、１５１ａ…クラッチプレート押圧部、１５１ｂ…カム溝、１５１ｃ…油孔、１５１ｄ…ピン取付孔、１５２…カムフォロア、１５３…針状ころ軸受、１５４…復帰用スプリング、１５５…ガイドピン、１５６…リテーナ、１６…第２のカム機構、１６０…入力用のカム部材、１６１…出力用のカム部材、１６２…押付部材、１６２ａ…ストレートスプライン嵌合部，１６２ｂ…クラッチプレート押圧部、１６３…凹凸面、１６４…針状ころ軸受、１６５…凹部、１６５ａ，１６５ｂ…切り欠き側面、１６５ｃ…切り欠き底面、１６６…凸部、１６６ａ…端面、１６７…凸片、１６７ａ…外歯、１６８…凹凸面、１６９…凹部、１６９ａ，１６９ｂ…切り欠き側面、１６９ｃ…切り欠き底面、１７０…凸部、１７０ａ…端面、１７１…針状ころ軸受、１８…フロントハウジング、１９…リヤハウジング、１９ａ…収容空間、１９ｂ…ストレートスプライン嵌合部、１９ｃ…フランジ、１９ｄ…係合凹部、２０…第１のハウジングエレメント、２０ａ〜２０ｃ…孔部、２００ａ，２０１ａ…油路、２１…第２のハウジングエレメント、２１ａ…係合凸部、２１ｂ…油路、２２…第３のハウジングエレメント、２３…コイルホルダ、２３ａ，２３ｂ…油路、２４…玉軸受、２５…シール部材、２６…位置決めピン、２７…環状空間、２８…栓体、２９，３０…止め輪、３１…環状空間、３２…シール機構、３３…針状ころ軸受、３４…止め輪、３５…栓体、３６…シャフト蓋、３６ａ…ポンプ形成部、３６０ａ…外周面、３７…環状空間、３８…玉軸受、３９…受部材、４５…シール機構、４６，４７…止め輪、２００…四輪駆動車、２０１…駆動力伝達系、２０２…エンジン、２０３…トランスミッション、２０４Ｌ，２０４Ｒ…前輪、２０５Ｌ，２０５Ｒ…後輪、２０６…フロントディファレンシャル、２０７…リヤディファレンシャル、２０８Ｌ，２０８Ｒ…前輪側のアクスルシャフト、２０９Ｌ，２０９Ｒ…サイドギヤ、２１０…ピニオンギヤ、２１１…ギヤ支持部材、２１２…フロントデフケース、２１３Ｌ，２１３Ｒ…後輪側のアクスルシャフト、２１４Ｌ，２１４Ｒ…サイドギヤ、２１５…ピニオンギヤ、２１６…ギヤ支持部材、２１７…リヤデフケース、Ｐ１…第１のカム推力、Ｐ２…第２のカム推力、Ｍ…磁気回路、Ｏ…回転軸線、ａ，ｂ…油面位置
【図１】
0005953752.tif 000002
【図２】
0005953752.tif 000003
【図３】
0005953752.tif 000004
【図４】
0005953752.tif 000005
【図５】
0005953752.tif 000006
【図６】
0005953752.tif 000007
【図７】
0005953752.tif 000008
【図８】
0005953752.tif 000009